(57)【要約】【課題】  部品点数を増やすことなく、ビデオデッキと基板の輸送時にかかる負担を軽減でき、衝撃によってビデオデッキが損傷することを防げ、シャーシに組付けるときには、台座部品を基板とビデオデッキを組付けた状態で組付けられ、組付作業を短縮できる。【解決手段】  ビデオデッキ１と、このビデオデッキの下側に位置する基板２と、この基板の下側に位置する台座部品３と、この台座部品の下側に位置するシャーシ４を組付けるようにし、台座部品の中央部分に水平向き補強部３ａを一体に懸架すると共に側部に縦向き補強部３ｂを設け、台座部品と基板とビデオデッキを組付け、その後に、台座部品をシャーシにビス止めで取付けるようにし、台座部品の周縁部に基板とビデオデッキとを組付けた状態で外部に露出したビス孔３ｃが形成され、台座部品のビス孔にビス５を挿入して、基板とビデオデッキが組み付けられた台座部品をシャーシにビス止め固定するようにした。【選択図】  図１
2007184055.tif 000002
【特許請求の範囲】
【請求項１】
ビデオデッキと、このビデオデッキの下側に位置する基板と、この基板の下側に位置する台座部品と、この台座部品の下側に位置するシャーシを組付けるようにしたビデオデッキの組付構造において、前記台座部品の中央部分に水平向き補強部を一体に懸架すると共に側部に縦向き補強部を設け、前記台座部品と前記基板と前記ビデオデッキを組付け、その後に、前記台座部品をシャーシにビス止めで取付けるように構成され、前記台座部品の周縁部に、前記基板とビデオデッキとを組付けた状態で外部に露出したビス孔が形成され、この台座部品のビス孔にビスを挿入することにより、前記基板と前記ビデオデッキが組み付けられた前記台座部品を前記シャーシにビス止め固定するようにしたことを特徴とするビデオデッキの組付構造。
【請求項２】
ビデオデッキと、このビデオデッキの下側に位置する基板と、この基板の下側に位置する台座部品と、この台座部品の下側に位置するシャーシを組付けるようにしたビデオデッキの組付構造において、前記台座部品に補強部を設け、台座部品の上側に前記基板と前記ビデオデッキを組付け、その後に、前記台座部品をシャーシにビス止めで取付けるようにしたことを特徴とするビデオデッキの組付構造。
【請求項３】
前記台座部品に、前後左右に架け渡された十字状補強部を形成した請求項２に記載のビデオデッキの組付構造。
【請求項４】
前記台座部品に前記ビデオデッキに設けられた孔部に挿入する複数のボス部が設けられ、このボス部の上端を斜めに傾斜する傾斜面に形成した請求項２又は３に記載のビデオデッキの組付構造。
【発明の詳細な説明】
【技術分野】
【０００１】
本発明は、ビデオデッキと、このビデオデッキの下側に位置する基板と、この基板の下側に位置する台座部品と、この台座部品の下側に位置するシャーシを組付けるようにしたビデオデッキの組付構造に関するものである。
【背景技術】
【０００２】
従来、この種のビデオデッキの組付構造は、セット組立工程において、最初にシャーシに台座部品を取付け、その後に基板とビデオデッキを組付けるようにしていた。台座部品は、シャーシに取付けてから基板とビデオデッキを組付けるようにしているために、台座部品は補強されてなく、部品単体としては弱い構造となっており、衝撃に弱くビデオデッキが損傷することがあるという問題があった。
【０００３】
第１の従来技術を図４に示す。この従来の電子装置用シャーシは、図４に示すように、複数のコンポーネントを筐体内に実装する電子装置用シャーシにおいて、凹所を有する発泡成形可能な非硬質プラスチック材料からなる支持部材１０１、１０２がエンクロージャに囲まれている。コンポーネントは凹所にはめ込まれ一部を支持部材の内部空間に向けて開放できる形状を成している。そしてコンポーネントは、支持部材がエンクロージャに収容されて生ずる支持部材の変形による荷重で固定され、これにより、追加の部品を必要とせずに複数のコンポーネントを電子装置用シャーシに保持することができる。          （例えば、特許文献１参照）。
【０００４】
ところが、これにおいては、支持部材１０１、１０２が非硬質プラスチック材料からなるものであるから、構造的に弱いという問題があった。
【０００５】
第２の従来技術を図５に示す。この従来のプリント基板の補強構造は、図５に示すように、突起状の複数の固定用脚２０３を有しプリント基板２０１の平面方向の両側端部で脚をプリント基板の平面内の穴２０４に挿入されプリント基板に固定される第１、第２の補強用部材２０２と、プリント基板を外部機器に接続するための接続端子を有しプリント基板の平面方向の後方端部でプリント基板の表裏両面をはさんだ状態でプリント基板に固定されかつ第１、第２の補強用部材にも結合される端子板２０６とを備え、第１、第２の補強用部材と端子板とでプリント基板をその周辺端部で拘束して補強するようにした。（例えば、特許文献２参照）。
【０００６】
ところが、これにおいては、第１、第２の補強部材２０２を必要とするために、部品点数が多くなると共に、組付け難いという問題があった。
【特許文献１】特開２００３−５１６８４号公報
【特許文献２】特開平８−４６３０３号公報
【発明の開示】
【発明が解決しようとする課題】
【０００７】
本発明は上記従来の問題に鑑みてなされたものであって、部品点数を増やすことなく、ビデオデッキと基板の輸送時にかかる負担を軽減することができ、衝撃によってビデオデッキが損傷することを防げ、シャーシに組付けるときには、台座部品を基板とビデオデッキを組付けた状態で組付けることができて、組付作業を短縮することができるビデオデッキの組付構造を提供することを目的としている。
【課題を解決するための手段】
【０００８】
本発明は、上記課題を解決するために提案されたものであって、請求項１に記載の発明は、ビデオデッキと、このビデオデッキの下側に位置する基板と、この基板の下側に位置する台座部品と、この台座部品の下側に位置するシャーシを組付けるようにしたビデオデッキの組付構造において、前記台座部品の中央部分に水平向き補強部を一体に懸架すると共に側部に縦向き補強部を設け、前記台座部品と前記基板と前記ビデオデッキを組付け、その後に、前記台座部品をシャーシにビス止めで取付けるように構成され、前記台座部品の周縁部に、前記基板とビデオデッキとを組付けた状態で外部に露出したビス孔が形成され、この台座部品のビス孔にビスを挿入することにより、前記基板と前記ビデオデッキが組み付けられた前記台座部品を前記シャーシにビス止め固定するようにしたことを特徴としている。
【０００９】
請求項２に記載の発明は、ビデオデッキと、このビデオデッキの下側に位置する基板と、この基板の下側に位置する台座部品と、この台座部品の下側に位置するシャーシを組付けるようにしたビデオデッキの組付構造において、前記台座部品に補強部を設け、台座部品の上側に前記基板と前記ビデオデッキを組付け、その後に、前記台座部品をシャーシにビス止めで取付けるようにしたことを特徴としている。
【００１０】
請求項３に記載の発明は、請求項２に記載の発明において、前記台座部品に、前後左右に架け渡された十字状補強部を形成した。
【００１１】
請求項４に記載の発明は、請求項２又は３に記載の発明において、前記台座部品に前記ビデオデッキに設けられた孔部に挿入する複数のボス部が設けられ、このボス部の上端を斜めに傾斜する傾斜面に形成した。
【発明の効果】
【００１２】
請求項１に記載の発明によれば、台座部品の中央部に水平向き補強部を設けると共に側部に縦向き補強部を設けたから、台座部品を頑丈なものにすることができ、この台座部品に基板とビデオデッキを取り付けるようにしたので、ビデオデッキが運搬時の衝撃で損傷することを防ぐことができる。また、台座部品の周縁部に、基板とビデオデッキを組付けた状態で外部に露出したビス孔を形成したことにより、台座部品に基板とビデオデッキを組付けた後に、この台座部品をシャーシにビス止めして取付けることができる。従って、組付作業を短縮することができる。
【００１３】
請求項２に記載の発明によれば、台座部品に補強部を設けたから、台座部品を頑丈なものにすることができ、この台座部品に基板とビデオデッキを取り付けるようにしたので、ビデオデッキが運搬時の衝撃で損傷することを防ぐことができる。また、台座部品に基板とビデオデッキを取付けた状態で台座部品をシャーシにビス止めで取付けるようにしたので、組付作業を短縮することができる。
【００１４】
請求項３に記載の発明によれば、台座部品に左右前後に架け渡された十字状補強部を形成したから、この台座部品の強度を高めることができ、しかも、この台座部品に取付けられるビデオデッキが運搬時の衝撃によって損傷することを防ぐことができる。
【００１５】
請求項４に記載の発明によれば、台座部品に設けられた複数のボス部の上端に傾斜面を形成しているから、台座部品にビデオデッキを組付ける際に、ビデオデッキに設けられた孔がこのボス部の上端の傾斜面でガイドされて挿通されてビデオデッキが組み付けられ、この組付けをスムーズに行うことができる。
【発明を実施するための最良の形態】
【００１６】
以下、本発明に係るビデオデッキの組付構造の実施の形態について、図を参照しつつ説明する。
【００１７】
図１は本発明の第１実施形態のビデオデッキの組付構造を示す分解斜視図である。
【００１８】
この第１実施形態のビデオデッキの組付構造は、図１に示すように、ビデオデッキ１の下側に基板２と台座部品３とシャーシ４とが配置され、台座部品３に基板２とビデオデッキ１を取付けた状態でシャーシ４に取付けられるようになっている。台座部品３にはその中央部分に水平向き補強部３ａが一体に懸架され、側部に縦向き補強部３ｂが設けられている。また、ビデオデッキ１と基板２を台座部品３に組付けた状態において、この台座部品３には前後左右５箇所に外側に露出するビス孔３ｃが形成されている。この台座部品３のビス孔３ｃにビス５を挿入してこのビスをシャーシ４に螺入することによって、ビデオデッキ１と基板２と台座部品３とシャーシ４とが一体的に組み付けられるようになっている。更に、台座部品３には左右の縦向き支持部３ｄの端部にビデオデッキ１の左右の端部の孔（図示略）に挿入されるボス部３ｅ、３ｆが設けられている。
【００１９】
この第１実施形態によれば、台座部品３の中央部に水平向き補強部３ａを設けると共に側部に縦向き補強部３ｂを設けたから、台座部品３を頑丈なものにすることができ、この台座部品３に基板２とビデオデッキ１を取り付けるようにしたので、ビデオデッキ１が運搬時の衝撃で損傷することを防ぐことができる。また、台座部品３の周縁部に、基板２とビデオデッキ１を組付けた状態で外部に露出したビス孔３ｃを形成したことにより、台座部品３に基板２とビデオデッキ１を組付けた後に、この台座部品３をシャーシ４にビス止めして取付けることができる。従って、組付作業を短縮することができる。
【００２０】
図２は第２実施形態のビデオデッキの組付構造における台座部品の斜視図である。尚、第１実施形態と同一部材、同一箇所には同一符号を付してその説明を省略する。
【００２１】
この第２実施形態のビデオデッキの組付構造は、図２に示すように、台座部品３の中央部に前後左右に一体に架け渡された十字状補強部３ｇが設けられている。この第２実施形態によれば、台座部品３に左右前後に架け渡された十字状補強部３ｇを形成したから、この台座部品３の強度を高めることができ、しかも、この台座部品３に取付けられるビデオデッキ１が運搬時の衝撃によって損傷することを防ぐことができる。
【００２２】
図３は第３実施形態のビデオデッキの組付構造を示す分解斜視図である。
【００２３】
この第３実施形態のビデオデッキの組付構造は、図３に示すように、ビデオデッキ１の左右の端部の孔（図示略）に挿入されるボス部３ｅ、３ｆの上端に斜め傾斜する傾斜面３ｈ、３ｉが形成されている。この第３実施形態によれば、台座部品３に設けられた複数のボス部３ｅ、３ｆの上端に傾斜面３ｈ、３ｉを形成しているから、台座部品３にビデオデッキ１を組付ける際に、ビデオデッキ１に設けられた孔がこのボス部３ｅ、３ｆの上端の傾斜面３ｈ、３ｉでガイドされて挿通されてビデオデッキ１が組み付けられ、この組付けをスムーズに行うことができる。
【図面の簡単な説明】
【００２４】
【図１】本発明の第１実施形態のビデオデッキの組付構造を示す分解斜視図である。
【図２】第２実施形態のビデオデッキの組付構造における台座部品の斜視図である。
【図３】第３実施形態のビデオデッキの組付構造を示す分解斜視図である。
【図４】従来の電子装置用シャーシにおける支持部材にコンポーネントを実装する状態を示す分解斜視図である。
【図５】従来のプリント基板の補強構造を示す分解斜視図である。
【符号の説明】
【００２５】
１          ビデオデッキ
２          基板
３          台座部品
３ａ        水平向き補強部
３ｂ        縦向き補強部
３ｃ        ビス孔
３ｄ        縦向き支持部
３ｅ        ボス部
３ｆ        ボス部  
３ｇ        十字状補強部
３ｈ        傾斜面
３ｉ        傾斜面
４          シャーシ
５          ビス
【図１】
2007184055.tif 000003
【図２】
2007184055.tif 000004
【図３】
2007184055.tif 000005
【図４】
2007184055.tif 000006
【図５】
2007184055.tif 000007